(57)【要約】【課題】本発明は客先要求の振動性能要求に対応することができ、かつ、振動や衝撃があってもメモリカードとの接続不良に繋がることのない電気コネクタ１０を提供する。【解決手段】本目的は複数のコンタクト１４と、コンタクト１４が保持・配列されるとともにメモリカード６０が挿入される嵌合口２８を有するハウジング１２と、ハウジング１２の長手方向両側に前記メモリカード６０を保持若しくは抜去する回動可能なロック部材１６とを備える電気コネクタ１０において、ハウジング１２はコンタクト１４が保持・配列される本体部１８と長手方向両側にロック部材１６が回動可能に装着される装着部２０とを備えるとともにハウジング１２の装着部２０にはメモリカード６０挿入方向に突出する突出片２２を幅方向両側に設け、ロック部材１６にはメモリカード６０が挿入された状態で、突出片２２と係合され、かつ、狭持する係止部３８を設けることにより達成できる。【選択図】  図２
2007087610.tif 000002
【特許請求の範囲】
【請求項１】
メモリカードが挿抜される電気コネクタであって、前記メモリカードと接触する接触部を有する複数のコンタクトと、該コンタクトが保持・配列されるとともに前記メモリカードが挿入される嵌合口を有するハウジングと、該ハウジングの長手方向両側に前記メモリカードを保持若しくは抜去する回動可能なロック部材とを備える電気コネクタにおいて、
前記ハウジングは前記コンタクトが保持・配列される本体部と長手方向両側に前記ロック部材が回動可能に装着される装着部とを備えるとともに前記ハウジングの前記装着部には前記メモリカード挿入方向に突出する突出片を幅方向両側に設け、前記ロック部材には前記メモリカードが挿入された状態で、前記突出片と係合され、かつ、狭持する係止部を設けることを特徴とする電気コネクタ。
【請求項２】
前記メモリカードが挿入されるとともに前記ロック部材によって前記メモリカードがロックされた状態では、前記ロック部材の係止部が前記ハウジングの突出片を内側方向に倒すことで基板ガイド部が前記メモリーカードを挟み込むように狭持することを特徴とする請求項１記載の電気コネクタ。
【請求項３】
前記突出片の先端部分に誘い部を設けることを特徴とする請求項１または２記載の電気コネクタ。
【請求項４】
前記係止部の大きさを、幅方向に突出した前記突出片同士の間隔より０．１〜０．４ｍｍ小さくするとともに前記基板ガイド部に弾性を持たせることを特徴とする請求項１、２又は３記載の電気コネクタ。
【発明の詳細な説明】
【技術分野】
【０００１】
本発明は、サーバやコンピューター等の電子,電気機器に使用される電気コネクタに関するもので、特に振動や衝撃に強い構造の電気コネクタに関するものである。  
【背景技術】
【０００２】
マザーボードとドウターボードとの信号（情報）のやり取りについては、複数の電気コネクタをマザーボードに半田付け等により固定し、前記電気コネクタにドウターボードを差込み行なっている。即ち、前記電気コネクタは少なくともドウターボードを差込むための嵌合口を有するハウジングと、該嵌合口内に突出し前記ハウジングに保持・配列されるコンタクトとを備えている。
本出願人は、このような電気コネクタとして、特許文献１（特開２００２−９４２６６）や特許文献２（特願２００５−１９６０５８）を既に提案している。
【特許文献１】特開２００２−９４２６６の要約によると、基板の重量に関係なく、振動や衝撃でもイジェクトロックが外れることがなく、安定した接続が得られる電気コネクタを提供をすることを目的とし、所要数のコンタクトと、このコンタクトを保持・固定すると共に長手方向両側にガイド部を有し、かつ、基板が挿入される嵌合口を有するハウジングと、ガイド部に回動可能に装着されたイジェクトロックとからなる電気コネクタにおいて、基板が嵌合口に挿入された際に、イジェクタロックの係合部が基板の係止部から外れないようにガイド部にロック保護部材を装着する構造の電気コネクタとロック保護部材が摺動する際に双方のガイド突起でロック保護部材をガイドできるような構造の電気コネクタが開示されている。ちなみに、特許請求の範囲の請求項１には、所要数のコンタクトと、このコンタクトを保持・固定すると共に長手方向両側にガイド部を有し、かつ、基板が挿入される嵌合口を有するハウジングと、前記ガイド部に回動可能に装着されたイジェクトロックとからなる電気コネクタにおいて、基板が嵌合口に挿入された際に、イジェクタロックの係合部が基板の係止部から外れないように前記ガイド部にロック保護部材を装着したことを特徴とする電気コネクタ。請求項２には、前記ロック保護部材は電気コネクタの厚み方向に摺動可能に装着されたことを特徴とする請求項１記載の電気コネクタ。請求項３には、前記イジェクタロックの幅方向両側に係止溝を設け、前記ロック保護部材の幅方向内側に係合突起を設け、基板が挿入されイジェクタロックで係合された際にロック保護部材の係合突起がイジェクトロックの係止溝に係合することを特徴とする請求項１記載の電気コネクタ。請求項４には、前記ロック保護部材の左右方向両側には、ガイド突起Ａとガイド突起Ｂを設け、ロック保護部材が摺動する際に前記双方のガイド突起でロック保護部材をガイドすることを特徴とする請求項２記載の電気コネクタ。請求項５には、前記ロック保護部材には前記ガイド突起Ｂの基板挿入方向側に突起を設け、該突起によりイジェクトロックの回動方向に対する保持を強化したことを特徴とする請求項４記載の電気コネクタ等が開示されている。
【特許文献２】特願２００５−１９６０５８の要約によると、幅方向のピッチが６〜８ｍｍ間隔の場合でもで容易に半田ゴテをこの間隔に挿入でき、半田付け時にハウジング１２に触れることがない電気コネクタ１０を提供することを目的として、メモリカード６０が挿抜される電気コネクタ１０であって、メモリカード６０と接触する接触部２８を有する複数のコンタクト１４と、コンタクト１４が保持・配列されるとともにメモリカード６０が挿入される嵌合口１８を有するハウジング１２と、ハウジング１２の長手方向両側にメモリカード６０を保持若しくは抜去する回動可能なロック部材１６とを備える電気コネクタ１０において、電気コネクタ１０を幅方向に６〜８ｍｍ間隔で並行に配置する際に、ハウジング１２には、幅方向両側の上面側に半田ゴテの逃げ部２０を設けるとともに幅方向両側の下面側に凹部２２を設ける構造の電気コネクタが開示されている。ちなみに、特願２００５−１９６０５８の特許請求の範囲の請求項１には、メモリカードが挿抜される電気コネクタであって、前記メモリカードと接触する接触部を有する複数のコンタクトと、該コンタクトが保持・配列されるとともに前記メモリカードが挿入される嵌合口を有するハウジングと、該ハウジングの長手方向両側に前記メモリカードを保持若しくは抜去する回動可能なロック部材とを備える電気コネクタにおいて、前記電気コネクタを幅方向に６．０〜８．０ｍｍ間隔で並行に配置する際に、前記ハウジングには、幅方向両側の上面側に半田ゴテの逃げ部を設けるとともに幅方向両側の下面側に凹部を設けることを特徴とする電気コネクタ。請求項２には、前記逃げ部として、外側方向に傾斜する傾斜部を設けることを特徴とする請求項１記載の電気コネクタ。請求項３には、前記傾斜部及び前記凹部の長手方向の大きさは、前記コンタクトの長手方向ピッチと同等か超える大きさにすることを特徴とする請求項１又は２記載の電気コネクタ。請求項４には、前記ロック部材の幅方向に、０．１〜０．５ｍｍ突出する略台形状の凸部を設けることを特徴とする請求項１又は２、３記載の電気コネクタ等が開示されている。
【発明の開示】
【発明が解決しようとする課題】
【０００３】
近年、やり取りする情報量も多くなり、多くの電気コネクタが使用され、情報機器の小型化が進み、基板の小型化も進んできている。また、現在のメモリカードの規格では、振動性能が５５Ｈｚまで要求されているが、客先によって、特にサーバーメーカーでは５００Ｈｚ、２０００Ｈｚまでの振動に耐えうる性能が要求されてきている。
しかしながら、上述したような特許文献１や特許文献２の構造では、このような振動性能要求（規格：ＥＩＡ−３６４−２８Ｄ）に対応することができなく、かつ、振動や衝撃に弱く、メモリカードとの接続不良に繋がると言った解決すべき課題があった。すなわち、メモリカードの厚み寸法の交差を考慮して前記ハウジングの嵌合口の大きさやガイド部分の幅寸法を設計しても、ガタが大きくなって、振動や衝撃に弱くなる。（例えば、メモリカードとハウジングの寸法がノミナル値でもガタが大きくなってしまう。）
【０００４】
本発明は、このような従来の問題点に鑑みてなされたもので、客先要求の振動性能要求に対応することができ、かつ、振動や衝撃があってもメモリカードとの接続不良に繋がることのない電気コネクタ１０を提供せんとするものである。
【課題を解決するための手段】
【０００５】
上記目的は、メモリカード６０が挿抜される電気コネクタ１０であって、前記メモリカード６０と接触する接触部４４を有する複数のコンタクト１４と、該コンタクト１４が保持・配列されるとともに前記メモリカード６０が挿入される嵌合口２８を有するハウジング１２と、該ハウジング１２の長手方向両側に前記メモリカード６０を保持若しくは抜去する回動可能なロック部材１６とを備える電気コネクタ１０において、前記ハウジング１２は前記コンタクト１４が保持・配列される本体部１８と長手方向両側に前記ロック部材１６が回動可能に装着される装着部２０とを備えるとともに前記ハウジング１２の前記装着部２０には前記メモリカード６０挿入方向に突出する突出片２２を幅方向両側に設け、前記ロック部材１６には前記メモリカード６０が挿入された状態で、前記突出片２２と係合され、かつ、狭持する係止部３８を設けることにより達成できる。
【０００６】
前記メモリカード６０が挿入されるとともに前記ロック部材１６によって前記メモリカード６０がロックされた状態では、前記ロック部材１６の係止部３８が前記ハウジング１２の突出片２２を内側方向に倒すことで基板ガイド部２４が前記メモリーカードを挟み込むように狭持させる。
また、前記突出片２２の先端部分に誘い部３２を設ける。
さらに、前記係止部３８の大きさを、幅方向に突出した前記突出片２２同士の間隔より０．１〜０．４ｍｍ小さくするとともに前記基板ガイド部２４に弾性を持たせる。
【０００７】
作用としては、前記メモリカード６０が挿入され、前記ロック部材１６を回動させると、前記ロック部材１６の係止部３８内に前記ハウジング１２の突出片２２が入り、前記ロック部材１６によって前記ハウジング１２の突出片２２を内側方向に倒すことになり、前記ハイジングの基板ガイド部２４が前記メモリーカードを挟み込むように狭持する。
【発明の効果】
【０００８】
以上の説明から明らかなように、本発明のカードコネクタ１０によると、次のような優れた顕著な効果が得られる。
（１）メモリカード６０が挿抜される電気コネクタ１０であって、前記メモリカード６０と接触する接触部４４を有する複数のコンタクト１４と、該コンタクト１４が保持・配列されるとともに前記メモリカード６０が挿入される嵌合口２８を有するハウジング１２と、該ハウジング１２の長手方向両側に前記メモリカード６０を保持若しくは抜去する回動可能なロック部材１６とを備える電気コネクタ１０において、前記ハウジング１２は前記コンタクト１４が保持・配列される本体部１８と長手方向両側に前記ロック部材１６が回動可能に装着される装着部２０とを備えるとともに前記ハウジング１２の前記装着部２０には前記メモリカード６０挿入方向に突出する突出片２２を幅方向両側に設け、前記ロック部材１６には前記メモリカード６０が挿入された状態で、前記突出片２２と係合され、かつ、狭持する係止部３８を設けているので、客先要求である５００Ｈｚや２０００Ｈｚまでの振動に耐えることができ、かつ、振動や衝撃によってもメモリカード６０との接続不良に繋がることがなく、安定した接続を得ることができる。
（２）前記メモリカード６０が挿入されるとともに前記ロック部材１６によって前記メモリカード６０がロックされた状態では、前記ロック部材１６の係止部３８が前記ハウジング１２の突出片２２を内側方向に倒すことで基板ガイド部２４が前記メモリーカードを挟み込むように狭持しているので、確実にメモリカード６０との接続ができ、客先要求である５００Ｈｚや２０００Ｈｚまでの振動に耐えることができ、かつ、振動や衝撃によってもメモリカード６０との接続不良に繋がることがない。
（３）前記突出片２２の先端部分に誘い部３２を設けているので、前記ロック部材１６を回動した際にも前記ハウジング１２の突出片２２を損傷することなく、容易に前記ロック部材１６の係止部３８と前記突出片２２とを係合でき、かつ、狭持することができる。
（４）前記係止部３８の大きさを、幅方向に突出した前記突出片２２同士の間隔より０．１〜０．４ｍｍ小さくするとともに前記基板ガイド部２４に弾性を持たせているので、確実にメモリカード６０との接続ができ、客先要求である５００Ｈｚや２０００Ｈｚまでの振動に耐えることができ、かつ、振動や衝撃によってもメモリカード６０との接続不良に繋がることがなく、安定した接続を得ることができる。
【発明を実施するための最良の形態】
【０００９】
図１及び図２に基づいて、本発明の一実施例について説明する。図１（Ａ）はメモリカード及び本発明の嵌合口２８方向からみた電気コネクタの斜視図であり、（Ｂ）はメモリカードが挿入された状態の嵌合口２８方向からみた本発明の電気コネクタの斜視図である。図２（Ａ）はメモリカードが挿入されてない状態のロック部材付近の部分拡大斜視図であり、（Ｂ）はメモリカードが挿入された状態のロック部材付近の部分拡大斜視図である。
本発明の電気コネクタ１０は、主に複数のコンタクト１４とハウジング１２とロック部材１６とを備えている。
【００１０】
構成部品を説明する前に、メモリカード６０（ドウターボード）について説明する。前記メモリカード６０はパソコンやサーバ、プリンタ等に使用されるものであって、前記メモリカード６０には主にコンタクト１４の接触部４４と接触する接触部と該接触部から回路へ繋がるパターンと該パターン上に搭載されたＩＣやＣＰＵと接続する接続部とを備えている。本発明の電気コネクタ１０に使用されるメモリカード６０としては、ＤＤＲ２カードやＤＩＭＭモリーカードやＦＢ−ＤＩＭＭカードやＳＯ−ＤＩＭＭメモリーカードや専用メモリーカード等のメモリカード６０が挙げられる。
本実施例のカードコネクタには、ＦＢ−ＤＩＭＭカードを使用している。
【００１１】
まず、本発明のポイントであるハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２は大きく複数のコンタクト１４が保持・配列され、かつ、前記メモリカード６０が挿入される嵌合口２８を有する本体部１８と前記ロック部材１６が回動可能に装着される装着部２０とに分けられる。前記装着部２０は前記本体部１８から前記メモリカード６０が挿入される方向に突出しており、前記装着部２０には前記ロック部材１６が挿入・装着される挿入口３０が設けられている。前記嵌合口２８の大きさは所要数の前記メモリカード６０が挿入でき、前記メモリカード６０が挿入された際に対向する２つの前記コンタクト１４に接触できるように適宜設計されている。前記挿入口３０の大きさは前記ロック部材１６が挿入でき、かつ、前記ロック部材１６が回動可能に適宜設計されている。
【００１２】
前記ハウジング１２の前記挿入口３０は略コ字形状をした２つの側壁部から構成され、２つの側壁部は前記メモリカード６０を基準に対称形状をしている。前記側壁部の下側には、前記ロック部材１６の軸が入る軸受け部３４が設けられている。前記軸受け部３４の大きさ及び位置、形状は前記ロック部材１６が回動することができ、かつ、前記ロック部材１６が回動した際に前記メモリカード６０を押上げ、抜去できるように適宜設計している。
また、前記側壁部には、前記挿入口３０方向に突出した基板ガイド部２４が対向するように設けられている。対向する２つの前記基板ガイド部２４によって、前記メモリカード６０を狭持することで、前記メモリカード６０を保持している。対向する前記基板ガイド部２４の間隔は、前記メモリカード６０の厚さや公差、前記メモリカード６０の保持強度や前記基板ガイド部２４の強度等を考慮して適宜設計する。前記基板ガイド部２４の形状は、前記メモリカード６０が入り易く、損傷しないように段付きの２段形状になっており、前記メモリカード６０を狭持する部分はカードが損傷しないようにＲ形状に近い湾曲をしている。本実施例では挿入される前記メモリカード６０の厚さが１．２７ｍｍで、その公差が±０．１ｍｍであるため、対向する前記基板ガイド部２４の間隔を１．４０ｍｍにしている。公差を考えると十分な保持力を得ることは出来ないが、上述した作用により客先が要求している振動性能に十分に耐えうることができる。また、基板ガイド部２４には弾性を持たせている。
【００１３】
２つの側壁部の上端には、対向するように前記メモリカード６０挿入方向に突出する突出片２２が設けられている。対向する２つの前記突出片２２の役割は、前記メモリカード６０が挿入され、前記ロック部材１６を回動させた際に、後述する前記ロック部材１６の係止部３８内に前記突出片２２が入り、前記ロック部材１６によって前記ハウジング１２の突出片２２を内側方向に倒すことで、前記ハイジングの基板ガイド部２４が前記メモリーカードを挟み込むように狭持するものである。前記突出片２２の大きさや形状、位置はこのような役割や前記突出片２２の強度や電気コネクタ１０の小型化等を考慮して適宜設計する。前記突出辺の先端内側には、前記ロック部材１６の係止部３８と係合し易いように誘い部３２が設けられている。
【００１４】
前記ハウジング１２の本体部１８には、前記コンタクト１４が挿入される挿入孔２６と前記メモリカード６０が挿入される嵌合口２８とが設けられている。前記挿入孔２６は、前記コンタクト１４を保持・配列するためものであり、前記挿入孔２６の大きさは前記コンタクト１４を保持でき、前記コンタクト１４の接触部４４が前記嵌合口２８内に突出し、一定の接触力で前記メモリカード６０に接触できるように適宜設計する。前記嵌合口２８は前記メモリカード６０が挿入される部分であり、その大きさは挿入される前記メモリカード６０の種類や大きさによって適宜設計している。
【００１５】
次に、ロック部材１６について説明する。このロック部材１６もハウジング１２同様は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ロック部材１６は前記メモリカード６０を抜去するためのものであり、前記ハウジング１２の長手方向両側かどちらか一方側に配置されている。本実施例では、前記メモリカード６０の保持する安定性やバランスを考えて、両側に配置している。前記ロック部材１６は少なくとも操作部３６と前記メモリカード６０を押し上げるための押上部４２と操作部３６と押上部４２とを連結する中間部４０と軸とを備えている。
【００１６】
前記ロック部材１６の操作部３６の下面側には、前記ハウジング１２の突出片２２と係合する係止部３８が設けられている。本実施例では係止部３８は凹部形状になっている。前記係止部３８の位置は前記メモリカード６０が挿入された際に前記ハウジング１２の突出片２２が入るように適宜設計する。前記係止部３８の大きさは、前記突出片２２と係合することで前記基板ガイド部２４が内側に倒れ、前記基板ガイド部２４で前記メモリカード６０を確実に狭持できるように、幅方向に突出した前記突出片２２同士の間隔より０．１〜０．４ｍｍ小さくしている。０．１ｍｍ以下では客先要求の振動性能を満足することができないことや確実な前記メモリカード６０の狭持をすることができなく、０．４ｍｍ以上では前記メモリカード６０を損傷することに繋がる恐れや前記突出片２２の破損の恐れがある。
【００１７】
前記押上部４２の形状としては、前記メモリカード６０を挟み込み、かつ、前記メモリカード６０の底面を接触するようになっている。前記押上部４２の形状は前記メモリカード６０を押上げられればよく、前記ロック部材１６の強度等を考慮して適宜設計する。
前記軸の大きさや位置、形状は前記ハウジング１２の軸受け部３４に合い、かつ、前記ロック部材１６が回動することで前記メモリカード６０を抜去できるように適宜設計する。
【００１８】
最後に、複数のコンタクト１４について説明する。前記コンタクト１４は金属製であり、公知技術のプレス加工によって製作されている。前記コンタクト１４の材質としては、バネ性や導電性や寸法安定性などが要求されるので、黄銅やベリリウム銅やリン青銅等を挙げることができる。
前記コンタクト１４は、少なくとも前記メモリカード６０に接触する接触部４４と前記ハウジング１２に固定される固定部と基板に接続する接続部４６とを備えている。前記接触部４４の形状としては、前記メモリカード６０と接触し易いように湾曲形状にしている。前記コンタクト１４の前記接続部４６は本実施例では基板の回路設計を考慮してＳＭＴ（表面実装）タイプにしたが、ディップタイプであってもよい。前記コンタクト１４は、本実施例では、前記接触部４４同士が対向するように並行に配置され、対向する２つの前記コンタクト１４とで、前記メモリカード６０を挟み込むようにしている。前記コンタクト１４は前記ハウジング１２に圧入や引っ掛け（ランス）や溶着などによって固定されている。
【産業上の利用可能性】
【００１９】
本発明の活用例としては、サーバやコンピューター等の電子・電気機器に使用される電気コネクタ１０に活用され、特に振動や衝撃に強い構造の電気コネクタ１０に関するものである。
【図面の簡単な説明】
【００２０】
【図１】（Ａ）  メモリカード及び本発明の嵌合口方向からみた電気コネクタの斜視図である。（Ｂ）  メモリカードが挿入された状態の嵌合口方向からみた本発明の電気コネクタの斜視図である。
【図２】（Ａ）  メモリカードが挿入されてない状態のロック部材付近の部分拡大斜視図である。（Ｂ）  メモリカードが挿入された状態のロック部材付近の部分拡大斜視図である。
【符号の説明】
【００２１】
１０              電気コネクタ
１２              ハウジング
１４              コンタクト
１６              ロック部材
１８              本体部
２０              装着部
２２              突出片
２４              基板ガイド部
２６              挿入孔
２８              嵌合口
３０              挿入口
３２              誘い部
３４              軸受け部
３６              操作部
３８              係止部
４０              中間部
４２              押上部
４４              接触部
４６              接続部
６０              メモリカード
【図１】
2007087610.tif 000003
【図２】
2007087610.tif 000004